(57)【要約】【課題】  保冷手段の使用時において、使用者が快適な温度で使用し得るようにした簡易体温調節袋を提供することにある。【解決手段】  通気性を有する素材により形成してある外袋１の内部に、袋表側布５ａと袋裏側布５ｂとの間に１枚〜複数枚の仕切部材３を設け、仕切部材３によって区画された複数の収納空間７を備え、収納空間７の各々が出し入れ口４に通じ、保冷手段２を収めることを可能にしたことを特徴とする。  出し入れ口Ｒに開閉部４を備え、開閉部４は袋裏側布５ｂに出し入れ口４よりも前方に延長する延長布５ｃを設け、該延長布５ｃの先部を出し入れ口４の上側に重なるように折返し、その延長布折返部５ｄの両側縁を縫製していることを特徴とする。【選択図】    図３
2007236402.tif 000002
【特許請求の範囲】
【請求項１】
通気性を有する素材により形成してある外袋（１）の袋表側布（５ａ）と袋裏側布（５ｂ）との間に１枚〜複数枚の仕切部材（３）を設け、外袋（１）の内部に仕切部材（３）によって区画された複数の収納空間（７）を備え、収納空間（７）の各々が出し入れ口（４）に通じ、出し入れ口（４）より任意収納空間（７）内に保冷手段（２）を収め得るようにしたことを特徴とする簡易温度調節袋。
【請求項２】
出し入れ口（Ｒ）に開閉部（４）を備え、開閉部（４）は袋裏側布（５ｂ）に出し入れ口（４）よりも前方に延長する延長布（５ｃ）を設け、該延長布（５ｃ）の先部を出し入れ口（４）の上側に重なるように折返し、その延長布折返部（５ｄ）の両側縁を縫製していることを特徴とする請求項１記載の簡易温度調節袋。
【発明の詳細な説明】
【技術分野】
【０００１】
本発明は、例えば氷枕や水枕等に代表される保冷手段を入れて使用する簡易温度調節袋に関するものである。
【背景技術】
【０００２】
水枕や氷枕等の保冷手段を用いて身体（主に頭部）の体温を下げる場合、直接使用すると冷たすぎるし、結露水によって身体や寝具が濡れるため、保冷手段をタオルで包んだり外袋の口から内部に入れ、保冷手段をタオルや外袋にて保護することが知られている。また外袋の内部に湯たんぽや使い捨てカイロ（携帯カイロとも称される）等の保温手段を入れ、保温手段を外袋にて保護することも知られている。そして前述外袋の素材としては、綿布或いは樹脂糸布が一般に使用されており、使用者の身体に触れる接触側のフィット性を良くする等といった工夫も種々なされている。（例えば、特許文献１，２参照）。
【特許文献１】特開平１１−１５５８９５号公報（１頁目、図１）
【特許文献２】特開２０００−１５２８１３号公報（１頁目、図１）
【発明の開示】
【発明が解決しようとする課題】
【０００３】
しかしながら、水枕や氷枕、或いは生鮮魚介類の保冷に用いる畜冷剤封入体、株式会社白元の登録商標名「アイスノン」等の保冷手段を袋体に入れ、袋体を保冷手段の保護袋として用いた場合、袋体の内部へ保冷手段を単に収めるだけであったため、袋体の素材を介して使用者の皮膚に過剰な冷気が伝わったり、或いは氷枕の外面に生じる結露水で敷布や敷き布団等を濡らし、不快感を与えたり、取扱に注意を要する等の問題点があった。
【０００４】
また、保冷手段にタオルを巻きつけて使用する場合もあり、その場合でもタオルが結露水で濡れるので、敷布や敷き布団等を濡らす問題点があった。
本発明は上記課題に鑑みてなされたものであり、その目的は、保冷手段を適温に、且つ快適に使用し得るようにした簡易温度調節袋を提供することにある。
【課題を解決するための手段】
【０００５】
本発明の簡易温度調節袋は請求項１として、通気性を有する素材により形成してある外袋の袋表側布と袋裏側布との間に１枚〜複数枚の仕切部材を設け、外袋の内部に仕切部材によって区画された複数の収納空間を備え、収納空間の各々が出し入れ口に通じ、出し入れ口より任意収納空間内に保冷手段を収め得るようにしたことを特徴とする。
また請求項２は、請求項１の簡易温度調節袋において、出し入れ口に開閉部を備え、開閉部は袋裏側布に出し入れ口よりも前方に延長する延長布を設け、該延長布の先部を出し入れ口の上側に重なるように折返し、その延長布折返部の両側縁を縫製していることを特徴とする。
【０００６】
ここで保冷手段とは、水枕や氷枕、或いは畜冷剤封入袋体等が挙げられる。更に、外袋と仕切部材の形成素材については、外袋内を区画して、その中に保冷手段を収められるものであれば特に限定するものではないが、例えば、通気孔をハニカム状に配したハニカム地、或いは目の細かなメッシュシート地等を適用すれば、使用時に通気性が確保されるし、綿布等の如く一定の吸水性を有するものを適用すれば、保冷手段の収納後、時間の経過と共に生じた結露水を吸水したり、防水することができる。
更に仕切部材の配置状態については、使用者との接触面側において、各収納空間が重なるように区画される位置にあればよく、また仕切部材と収納空間の数は、需要者の要望に応じて製造段階で増減できる。各収納空間の出し入れ口は、同じ長さの仕切部材を重ねて縫着することで揃え得るが、長さが順次短くなる仕切部材の下端を揃えて縫着し、収納長さの異なる収納空間、即ち、出し入れ口を棚状に備えておくと、使用者における保冷手段の選択収容が容易となる。
【０００７】
本発明の簡易温度調節袋を前記のように形成すれば、仕切部材の介在によって、外袋の中に層状に折り重なった複数の収納空間が形成される。そして各収納空間の内の何れかに保冷手段を収め、例えば本発明の簡易温度調節袋を氷枕の保護袋として使用する場合であれば、仮に現状では使用者が冷た過ぎると感じた際には、当初収めた収納空間から遠ざかる側の他の収納空間に移すことで、使用者と氷枕との間に更に仕切部材が介在して、使用者に伝わる冷たさが和らかになる。保冷手段の収納空間より上側、又は下側の収納空間にタオル等を入れることで、更に冷熱の伝達を和らげることができる。
【発明の効果】
【０００８】
本発明の簡易温度調節袋は上記構造のとおりであるから、次に記載する効果を奏する。
請求項１の簡易温度調節袋は、保冷手段の使用時に、積層状態にある収納空間の一つを選択し、その収納空間内に保冷手段を入れることで、適切な温度に調節ができる。しかも保冷手段の使用時に起こる結露水による不快感を避けることができる。
また請求項２の簡易温度調節袋は、請求項１の特徴に加えて、出し入れ口に開閉部を備えているので、保冷手段の出し入れを容易にしながら、不意な脱落を防ぐことができる。その結果、利便性が飛躍的に高まることとなる。
【発明を実施するための最良の形態】
【０００９】
本発明における簡易温度調節袋の最良形態を説明すると、図１の如く矩形状をなす外袋１の長手側に出し入れ口４を設け、出し入れ口４に開閉部８を一体に備えるもので、外袋１は１枚の布地を折り重ね、その一方を袋表側布５ａ、他方を袋裏側布５ｂとし、その間に仕切部材３を１枚〜数枚介在し、仕切部材３ともども折り重ね部の左右を縫着し、外袋１の内部に、１枚〜数枚の仕切部材３を備え、袋表側布５ａと仕切部材３の間、袋裏側布５ｂと仕切部材３の間、及び仕切部材３，３の間に保冷手段２の収納空間７を各々形成するものである。
説明の便宜上、身体に接触する方を袋表側布５ａとし、反対側を袋裏側布５ｂとし、数枚の仕切部材３を、袋表側布５ａから第一仕切部材３ａ、第二仕切部材３ｂ、第三仕切部材３ｃとし、また収納空間７を、袋表側布５ａから第一収納空間７ａ、第二収納空間７ｂ、第三収納空間７ｃ、第四収納空間７ｄとし、各収納空間７の出し入れ口４を、第一出し入れ口４ａ、第二出し入れ口４ｂ、第三出し入れ口４ｃ、第四出し入れ口４ｄとする。
【００１０】
開閉部８は出し入れ口４に対して覆い被さるように設けてあり、例えば袋裏側布５ｂに出し入れ口４より外側に延長する延長布５ｃを設け、該延長布５ｃを袋表側布５ａ側に折り曲げ、延長布折返部５ｄの先を袋表側布５ａの先上部に重なるようにし、延長布折返部５ｄの左右部を直接、或いは織テープ等を介してミシン等で縫着したものであり、出し入れ口４より収納空間７に保冷手段２を収める場合、図２の如く使用者の指Ｆ等で強制的に押し開いて開口し、この押し開きを解除することで出し入れ口４を自然に塞ぐものである。
【００１１】
外袋１を構成する袋表側布５ａと袋裏側布５ｂ、及び外袋１の内部に介在する仕切部材３ａ，３ｂ，３ｃの素材として、少なくとも通気性を有する生地を用い、好ましくは吸水性や伸縮性、体圧分散効果に優れた生地、例えば、目の細かなメッシュ地１０や細かなハニカム通気孔を無数に設けたハニカム地１１を用いる。更に、弾力性と形状保持性に富んだ特殊立体構造の生地、例えば図７（イ）の如くメッシュ地１０やハニカム地１１の少なくとも片面に布地１２を備えた複合生地、図７（ハ）の如くメッシュ地１０やハニカム地１１を二重に備えた復層生地、図７（ロ）の如く二枚のメッシュ地１０，１０間やハニカム地１１，１１間に硬質繊維１３を介在したサンドイッチ生地を使用することも可能である。何れにしても、外袋１内に数区画の収納空間７を設け、その内の１区画に保冷手段２を収められるものであれば特に限定するものではない。
【００１２】
本発明による簡易温度調節袋の使用状態について説明すると、保冷手段２として畜冷剤を冷却固化した蓄冷剤封入体２Ａを収納する場合、図２の如く外袋１の出し入れ口４を塞いでいる開閉部８を使用者の指Ｆ等で強制的に押し開き、任意出し入れ口４から収納空間７内に向けて蓄冷剤封入体２Ａを入れ、蓄冷剤封入体２Ａを入れ終わった所で開閉部８の押し開きを解除すれば、開閉部８は弾力で閉鎖状態に自然復帰する。
このようにして蓄冷剤封入体２Ａを収納した本発明の簡易温度調節袋は、水枕の如く使用し得るものである。
【００１３】
次に本発明による簡易温度調節袋の使用状態について以下に説明すると、先ず図３のように第３収納空間７ｃに蓄冷剤封入体２Ａを納め、これを図５（イ）のように枕代わりとする。この場合、使用者の後頭部Ｈと蓄冷剤封入体２Ａとの間には、外袋１の袋表側布５ａと、２枚の仕切部材３ａ，３ｂが介在することになる。これにより使用者の後頭部Ｈとの間に、空気の層が形成されて適切な保冷状態になると共に、蓄冷剤封入体２Ａに発生する結露水の多くが、蓄冷剤封入体２Ａより下側に位置する第三仕切部材３ｃに吸収されたり、防水される。その結果、水滴が外袋１の袋裏側布５ｂに表出せず、快適な使用感が得られる。
【００１４】
また使用者個人の感覚により、現状のままでは保冷効果が得られない場合には、蓄冷剤封入体２Ａを図５（ロ）の如く後頭部Ｈに近い第二収納空間７ｂに移し替えたり、或いは冷た過ぎると感じた場合には、後頭部Ｈから離れた第三収納空間７ｃ、更に第四収納空間７ｄに移し替えるといった使い分けが可能である。
更に、保冷手段２の冷熱が強すぎる場合、第二収納空間７ｂより下側の第三収納空間７ｃに保冷手段２を入れ、該収納空間７ｃより上側の第二収納空間７ｂや第一収納空間７ａにタオル等を入れれば、一段と冷熱の影響を押さえることができる。反対に、最下収納空間７より上側の収納空間７に保冷手段２を入れ、その収納空間７より下側の収納空間７に熱反射材（表面にアルミフイルムを備えた）やタオル等を入れれば、冷熱を有効に使用し得る。
【００１５】
開閉部８の構造は最良形態に限定されるものではなく、例えば図４の如く袋裏側布５ｂに袋表側布５ａより外側に延長する延長布５ｃを設け、該延長布折返部５ｄの裏側に雌マジックテープ８ａを、袋表側布５ａの出し入れ口４側に雄マジックテープ８ｂを縫着し、延長布折返部５ｄを袋表側布５ａの先上部に重なるように折り返し、雌雄マジックテープ８ａ，８ｂの噛み合わせにて出し入れ口４を塞ぐものである。
延長布折返部５ｄの裏側に雄マジックテープ８ｂを、袋表側布５ａの出し入れ口４側に雌マジックテープ８ａを縫着しても同様である。
また、開閉部８の付設を省略することも可能である。
【００１６】
実施形態で用いた簡易温度調節袋は、外袋１の内部に仕切部材３を３枚設け、収納空間７として４室を設けているが、仕切部材３の増設数と収納空間７の室数は特に限定するものではなく、仕切部材３の増設数として採用し得る範囲は１〜５枚程度、最適な範囲は２，３枚であり、収納空間７の室数として採用し得る範囲は２〜６程度、最適な範囲は３〜５室である。
外袋１の構成は実施形態に限定されるものではなく、２枚の布地を重ね合わせ、その一方を袋表側布５ａ、他方を袋裏側布５ｂとし、その間に仕切部材３を１枚〜数枚介在し、仕切部材３ともども重ね合わせて３方を縫着することも可能である。
【００１７】
袋裏側布５ｂに重なる第三仕切部材３ｃと第二仕切部材３ｂと第一仕切部材３ａの長さを順次短くし、一端を布地の折返部に揃え、折り返した袋表側布５ａを第一仕切部材３ａより短くして縫着することで、袋表側布５ａより収納長さが順次長くなる収納空間７ａ，７ｂ，７ｃ，７ｄを形成し、即ち、出し入れ口４ａ，４ｂ，４ｃ，４ｄを棚状に備えておくと、任意出し入れ口４から収納空間７への保冷手段２の選択収容が容易になる。反対に袋裏側布５ｂに重なる第三仕切部材３ｃと第二仕切部材３ｂと第一仕切部材３ａに同じ仕切部材３を用いることで、出し入れ口４ａ，４ｂ，４ｃ，４ｄを揃えるこができる。
【産業上の利用可能性】
【００１８】
本発明の簡易温度調節袋は、保温手段６の例えば使い捨てカイロ６Ａの保護袋としても使用可能であり、その場合、図６（イ）（ロ）の如く前述した蓄冷剤封入体２Ａと同様であるが、外袋１の出し入れ口４から収納空間７に使い捨てカイロ６Ａを納めるものであり、この場合であっても、使い捨てカイロ６Ａを収める収納空間７ａ，７ｂ，７ｃ，７ｄの選択によって、使い捨てカイロ６Ａと使用者の腰部Ｌとの間に介在する袋表側布５ａ及び各仕切部材３ａ，３ｂ，３ｃの枚数を加減し、即ち、段階的な温度調節が可能となる。
保温手段６を収めた場合、温冷が逆になるが、同様の作用・効果が発揮される。
【図面の簡単な説明】
【００１９】
【図１】本発明による簡易温度調節袋の平面図である。
【図２】本発明による簡易温度調節袋の一使用状態を示す断面図である。
【図３】図１のＡ‐Ａ線縦断面図である。
【図４】開閉部の構造例を示す簡易温度調節袋の平面図である。
【図５】保冷手段を入れた簡易温度調節袋の使用状態を示す一部切側面図である。
【図６】保温手段を入れた簡易温度調節袋の使用形態を示す一部切欠側面図である。
【図７】外袋と仕切部材の素材構造例を示す概略側面図である。
【符号の説明】
【００２０】
１  外袋
２  保冷手段、２Ａ  蓄冷剤封入体
３，３ａ，３ｂ，３ｃ  仕切部材
４，４ａ，４ｂ，４ｃ  出し入れ口
５ａ  袋表側布
５ｂ  袋裏側布
５ｃ  延長布
５ｄ  延長布折返部
６  保温手段、６Ａ  使い捨てカイロ
７，７ａ，７ｂ，７ｃ，７ｄ  収納空間
８  開閉部、８ａ，８ｂ  マジックテープ
１０  メッシュ地、１１  ハニカム地
１２  布地、１３  硬質繊維
Ｆ  指（使用者）
Ｈ  後頭部（使用者）
Ｌ  腰部（使用者）
【図１】
2007236402.tif 000003
【図２】
2007236402.tif 000004
【図３】
2007236402.tif 000005
【図４】
2007236402.tif 000006
【図５】
2007236402.tif 000007
【図６】
2007236402.tif 000008
【図７】
2007236402.tif 000009